(57)【要約】【課題】遊技盤を取付ける内枠の相違によりガラス窓孔部の広さが異なる場合であっても、ゲージ構成と盤面部品との相対関係をそのまま適用可能にすると共に遊技盤の意匠性を向上させた遊技機を提供すること。【解決手段】外レールと内レールにより囲まれる遊技領域ｒ内に、多数の誘導釘１６を特定の配列にて設置すると共に風車・入賞口類の盤面部品を所定位置に設置し、遊技盤１１の前側を覆うガラス７が装着された前面扉５を開閉自在に設けた遊技機において、誘導釘１６と盤面部品とにより占有される領域ｓの広さを他の機種のものとほぼ同じとすると共に外レール１３及び内レール１４の内径寸法を他の機種のものよりも大きくし、かつ、前面扉５のガラス窓孔部６を内レール１４の大きさに合わせて広く設け、誘導釘と盤面部品により占有される領域ｓの外周縁ｔと、内レール１４の内側部とに生ずる円弧状の隙間ｕに装飾体２５を設けた。【選択図】図１
2007275496.tif 000002
【特許請求の範囲】
【請求項１】
遊技盤に外レールと内レールをほぼ円形で渦巻状に配置し、それら外レールと内レールにより囲まれる遊技領域内に、多数の誘導釘を特定の配列にて設置すると共に風車・入賞口類の盤面部品を所定位置に設置し、その遊技盤の前側を覆うガラスが装着された前面扉を開閉自在に設けた遊技機において、
前記誘導釘と盤面部品とにより占有される領域の広さを他の機種のものとほぼ同じとすると共に前記外レール及び内レールの内径寸法を他の機種のものよりも大きくし、かつ、前記前面扉のガラス窓孔部を内レールの大きさに合わせて広く設け、前記誘導釘と盤面部品により占有される領域の外周縁と、内レールの内側部とに生ずる円弧状の隙間に装飾体を設けるように構成したことを特徴とする遊技機。
【請求項２】
前記装飾体の裏面中央部に、前記遊技盤に設けられるアウト口に遊技球を案内するための誘導通路が設けられていることを特徴とする請求項１に記載の遊技機。
【請求項３】
前記装飾体の前面の所定箇所にレンズ部材を配置し、そのレンズ部材の背面側に設けられた発光ランプにより当該レンズ部材を照明するようにした電飾装置を設けたことを特徴とする請求項１又は２に記載の遊技機。
【発明の詳細な説明】
【技術分野】
【０００１】
本発明は、パチンコ機等の遊技機に関するものである。
【背景技術】
【０００２】
遊技機として一般的なパチンコ機は、例えば、特開２００４−１４１２０７号公報に記載されているように、遊技盤に外レールと内レールをほぼ円形で渦巻状に配置し、それら外レールと内レールにより囲まれる遊技領域内に、多数の誘導釘を特定の配列にて設置すると共に風車・入賞口・図柄表示装置・サイドランプ類の盤面部品を所定位置に設置し、遊技盤の前側を覆うガラスが装着されたガラス扉を前面枠に対して開閉自在に設けた構造とされている。
【０００３】
図８に示す従来のパチンコ機ａにおいて、ガラス扉ｂのガラス窓孔部ｃについては、透明のガラスを介して遊技領域ｒ及びその周辺を見ることができる程度の大きさに設けられている。遊技盤ｄ上の誘導釘ｆと盤面部品ｉとにより占有される領域ｓの広さについては、多数の誘導釘ｆを特定の配列としたいわゆるゲージ構成ｇと入賞口ｈ等の盤面部品ｉとの相対関係を維持したいという設計上の理由から、一定とすることが望ましい。
【０００４】
他方、パチンコ機の機種によっては、ガラス窓孔部の広さが装着されるガラスの大きさにより異なる場合がある。図９に示すように、仮にガラス窓孔部ｃ´の大きさが上記パチンコ機ａよりも大きく、内レールｅ´の内径寸法も大きく構成されたパチンコ機ａ´において、ゲージ構成ｇと盤面部品ｉとの相対関係を変更して遊技領域ｒを広くしたとすれば、誘導釘ｆと盤面部品ｉとが離れすぎて入賞口ｈへの遊技球入賞率が変わってしまって遊技の興趣が殺がれるため、新たなゲージ構成を考えなければならないという問題を生ずる。
【０００５】
ところで、図８に示す誘導釘と盤面部品とにより占有される領域ｓの広さと同一の広さとした遊技盤ｄ´を上記パチンコ機ａ´に取付けた場合には、図１０に示すように、その領域ｓの外周縁ｔと、内レールｅ´の内側部とに大きな隙間ｕが生じてしまう。その隙間ｕがあることにより、遊技盤の意匠性が著しく損なわれることになる。
【特許文献１】特開２００４−１４１２０７号公報
【発明の開示】
【発明が解決しようとする課題】
【０００６】
本発明の目的は、遊技盤を取り付ける内枠の相違によりガラス窓孔部の広さが異なる場合であっても、ゲージ構成と盤面部品との相対関係をそのまま適用可能にすると共に遊技盤の意匠性を向上させた遊技機を提供することにある。
【課題を解決するための手段】
【０００７】
前記目的を達成するために請求項１に記載した発明は、遊技盤に外レールと内レールをほぼ円形で渦巻状に配置し、それら外レールと内レールにより囲まれる遊技領域内に、多数の誘導釘を特定の配列にて設置すると共に風車・入賞口類の盤面部品を所定位置に設置し、その遊技盤の前側を覆うガラスが装着された前面扉を開閉自在に設けた遊技機において、前記誘導釘と盤面部品とにより占有される領域の広さを他の機種のものとほぼ同じとすると共に前記外レール及び内レールの内径寸法を他の機種のものよりも大きくし、かつ、前記前面扉のガラス窓孔部を内レールの大きさに合わせて広く設け、前記誘導釘と盤面部品により占有される領域の外周縁と、内レールの内側部とに生ずる円弧状の隙間に装飾体を設けるように構成したことを特徴とする。
【０００８】
同様の目的を達成するために請求項２に記載した発明は、請求項１に記載の遊技機において、前記装飾体の裏面中央部に、前記遊技盤に設けられるアウト口に遊技球を案内するための誘導通路が設けられていることを特徴とするものである。
【０００９】
同様の目的を達成するために請求項３に記載した発明は、請求項１又は２に記載の遊技機において、前記装飾体の前面の所定箇所にレンズ部材を配置し、そのレンズ部材の背面側に設けられた発光ランプにより当該レンズ部材を照明するようにした電飾装置を設けたことを特徴とするものである。
【発明の効果】
【００１０】
（請求項１の発明）
この遊技機は、誘導釘と盤面部品により占有される領域の外周縁と、内レールの内側部とに生ずる円弧状の隙間に装飾体を設けているので、遊技盤を取り付ける内枠の相違に基づいてガラス窓孔部の広さが異なる場合にもゲージ構成と盤面部品との相対関係をそのまま適用可能である。加えて、装飾体によって遊技盤の意匠性が向上する。
【００１１】
（請求項２の発明）
この遊技機は、装飾体に遊技盤のアウト口に遊技球を案内するための誘導通路を設けているので、遊技を円滑に行うことができる。
【００１２】
（請求項３の発明）
この遊技機は、装飾体の電飾装置による光による演出を行うことができるので、遊技の興趣を高めるのに付与する。
【発明を実施するための最良の形態】
【００１３】
以下に、本発明の最良の形態例を図面に基づいて説明する。図１は本発明にかかるパチンコ機の正面図、図２は誘導釘、盤面部品等を設置した遊技盤の正面図、図３は装飾体の正面図、図４は中央装飾部材の正面図、図５は中央装飾部材の裏面図、図６は中央装飾部材の要部の縦断側面図、図７は中央装飾部材における遊技球の挙動を説明する模式図である。
【００１４】
本発明にかかる遊技機としてのパチンコ機ｐを図１に示す。このパチンコ機ｐの外枠１には、前面扉５を開閉自在に支持する金属製内枠（図示せず）が上下箇所に設けた一対のヒンジ金具２，３により開閉可能に取付けられている。６は前面扉５の中央に大きく開放するように形成されたガラス窓孔部である。その前面扉５の裏面側には、上記内枠に取り付けられる遊技盤１１の前側を覆う透明なガラス板７を装着する保持枠（図示せず）が固定されている。９は遊技球を発射するためのハンドルである。
【００１５】
なお、このパチンコ機の遊技盤は、ガラス窓孔部の大きさ等が異なる他機種のパチンコ機の遊技盤と互換性を有するように設けられている。
【００１６】
図２に示すように、遊技盤１１には、外レール１３と内レール１４をほぼ円形で渦巻状に配置し、それらの外レール１３と内レール１４により囲まれる遊技領域ｒ内に、多数の誘導釘１６を特定の配列に設置することによりゲージ構成１５が施されていて、盤面部品としての風車１７、可変入賞装置１８、始動口１９、左右一対のサイドランプ２０等が設置されている。
【００１７】
このパチンコ機ｐでは、特定の配列に設置された誘導釘（即ち、ゲージ構成１５）と盤面部品とにより占有される領域ｓの広さを、小さなガラス窓孔部を備えた他の機種のパチンコ機のものとほぼ同じに設けている。因みに、本件出願人における実施形態例では、該領域ｓの縦寸法を約４２０ｍｍ、横寸法を約３４０ｍｍとしている。そして、外レール１３及び内レール１４の内径寸法を他の機種のものよりも約２０〜３５ｍｍ程度大きくし、かつ、前面扉５のガラス窓孔部６を内レール１４の大きさに合わせて広く設けている。このことにより、誘導釘と盤面部品により占有される領域ｓの外周縁ｔと、内レール１４の内側部とに円弧状の隙間ｕが生じる結果、そのままの状態とすれば遊技盤１１の見栄えは良くないと言える。そこで、本発明では、その隙間ｕに正面から見て凹円弧状の装飾体２５を設けることにより、見栄えを良くしている。この点に関して、以下に詳しく述べる。
【００１８】
図３に示すように、装飾体２５は、中央装飾部材２６と、その中央装飾部材２６の左右の端縁２６ａ，２６ｂに連接される左側装飾部材４０及び右側装飾部材４５とから構成されている。
【００１９】
中央装飾部材２６の凹円弧状の装飾ケース２７は、その内側部を前記遊技領域ｒを流下した遊技球が当接して落下方向を変更可能な円弧面２８に形成すると共に当該円弧面２８の左右の端縁に遊技盤１１に固定するための取付片２９，２９を一体に形成している。装飾ケース２７の裏面２７ｂの中央部には、図５に示すように、遊技盤１１に設けられるアウト口１２に遊技球を案内するための誘導通路３０が設けられている。３１は誘導通路２９に流入する遊技球を視認することができるように装飾ケース２７の意匠が施された前面２７ａの中央部に穿設された透孔である。
【００２０】
装飾ケース２７の前面２７ａの複数の箇所、この実施形態例では上記誘導通路３０の左右に形成された裏枠部３２，３２内には、電飾装置３５の構成要素たるレンズ部材３６，３６を配置している。それらの裏枠部３２の開口部３２ａには、裏板部材３３がビス３４により取付けられている。図６に示すように、その裏板部材３３の内面側には、多数の発光ダイオード等の発光ランプ３８を介装したプリント基板３７を設けている。
【００２１】
しかして、上述した中央装飾部材２６では、電飾装置３５の発光ランプ３８の光をレンズ部材３６の背面に投射させることにより、当該レンズ部材３６を明るく照明するように設けている。
【００２２】
左側装飾部材４０及び右側装飾部材４５は、上述した中央装飾部材２６に設けられる誘導通路３０を除いて同中央装飾部材２６の構成に準じた構成とされている。４１は左側装飾部材４０の電飾装置の構成要素たる複数箇所に配置されたレンズ部材である。同様に、４６は右側装飾部材４５の電飾装置の構成要素たるレンズ部材である。
【００２３】
なお、左側装飾部材４０及び右側装飾部材４５については、上記サイドランプ２０の外側部に取付けられている。
【００２４】
つぎに、かかる構成になる本発明のパチンコ機ｐの作用について説明する。
遊技者のハンドル９操作により遊技球が発射されると、その遊技球は遊技領域ｒを転動する。そして、その遊技球が複数の始動口１９のうち何れかの始動口に入賞すれば、可変入賞装置１８の開閉片１８ａが所定回数開閉動作を行い、その開放中の開閉片１８ａ内に入った遊技球が特定入賞口に入賞することにより公知の大当たり状態が発生し、遊技者に有利な遊技を行うことができる。他方、遊技球が始動口１９等に入賞しない場合には、図７に示すように、遊技球ｘは遊技領域ｒを流下して装飾ケース２７の中央装飾部材２６の円弧面２８に当接し若しくは誘導通路３０の内壁面３０ａに当接してアウト口１２に流入し、遊技盤１１の後方に誘導される。また、遊技中には、装飾体２５の電飾装置３５等による光の演出が遊技の進行プログラムに合わせて適宜行われる。
【００２５】
以上に述べた通り、このパチンコ機は、誘導釘と盤面部品により占有される領域の外周縁と、内レールの内側部とに生ずる円弧状の隙間に装飾体を設けているので、小さなガラス窓孔部を備えたパチンコ機におけるゲージ構成と盤面部品との相対関係を、広いガラス窓孔部を備えたパチンコ機にそのまま適用することができるという利点がある。
【図面の簡単な説明】
【００２６】
【図１】本発明にかかるパチンコ機の正面図
【図２】誘導釘、盤面部品等を設置した遊技盤の正面図
【図３】装飾体の正面図
【図４】中央装飾部材の正面図
【図５】中央装飾部材の裏面図
【図６】中央装飾部材の要部の縦断側面図
【図７】中央装飾部材における遊技球の挙動を説明する模式図
【図８】ガラス窓孔部が小さい機種の比較例であるパチンコ機の正面図
【図９】ガラス窓孔部の広さの相違による不具合を説明するパチンコ機の参考図
【図１０】ガラス窓孔部の広さの相違による不具合を説明するパチンコ機の参考図
【符号の説明】
【００２７】
ｐ・・・パチンコ機（遊技機）
ｒ・・・遊技領域
ｓ・・・誘導釘と盤面部品により占有される領域
ｔ・・・領域ｓの外周縁
ｕ・・・隙間
５・・・前面扉
６・・・ガラス窓孔部
７・・・ガラス
１１・・・遊技盤
１３・・・外レール
１４・・・内レール
１６・・・誘導釘
１９・・・始動口（盤面部品）
２０・・・サイドランプ（盤面部品）
２５・・・装飾体
３５・・・電飾装置
３６・・・レンズ部材
【図１】
2007275496.tif 000003
【図２】
2007275496.tif 000004
【図３】
2007275496.tif 000005
【図４】
2007275496.tif 000006
【図５】
2007275496.tif 000007
【図６】
2007275496.tif 000008
【図７】
2007275496.tif 000009
【図８】
2007275496.tif 000010
【図９】
2007275496.tif 000011
【図１０】
2007275496.tif 000012